(57)【要約】  【課題】  製作し易く、支持力が向上する基礎杭兼用土留用鋼材を提供する。  【解決手段】  ２枚の長尺矩形鋼板２の間にスペーサ４を介して鋼管３を支持する。スペーサ４は、鋼板２の中央に沿って長手方向にほぼ全長にわたり、その一方の側部を鋼管３に溶着し、他方の側部を鋼板２に溶着する。鋼板２と鋼管３との間にスペーサ４が介入するので、溶着工具の挿入スペースが確保される。鋼板２及び鋼管３の断面積にスペーサ４の断面積が加わり、基礎鋼としての支持力が増す。鋼板２の対向辺の内側対向部に長手方向に突条４を設ける。対向辺の端部に夫々他の鋼材１の突条４に嵌合できる長手方向の条溝６を備えた接続片５を設ける。相隣接するものの突条４と条溝６とを嵌合させて、複数を隙間なく並べて打設し、基礎杭兼用の擁壁を形成する。【選択図】  図３
2012225057.tif 000002
【特許請求の範囲】
【請求項１】
複数を同一方向に並べて地中に打設することにより擁壁を構成して背後の土層の崩落を阻止すると共に基礎を構成する鋼材であって、互いに平行に対向する２枚の矩形長尺鋼板と、これらの鋼板間に固定され、外周の対向位置において前記鋼板の長手方向中心線に沿って鋼板の全長にわたる鋼管とを具備し、相隣接する他の鋼材に係合させ、複数を隙間なく並べて地中に打設可能としたものにおいて、
前記鋼管と鋼板との間には、これらの全長にわたるスペーサを介設して、溶着作業用のスペースを形成することを特徴とする基礎杭兼用土留用鋼材。
【請求項２】
前記スペーサは、前記鋼板の長手方向の中心線に沿った前記鋼管の外周の対向位置に溶着されることを特徴とする請求項１に記載の基礎杭兼用土留用鋼材。
【請求項３】
前記鋼板の一方の対向辺の内側対向部に長手方向に延びるように設けられた突条と、他方の対向辺の端部に設けられ長手方向に延びて夫々相隣接する他の土留用鋼材の前記突条に嵌合できる条溝を備えた接続片とを具備し、前記鋼板の相隣接するものの突条と条溝とを互いに嵌合させることを特徴とする請求項１又は２に記載の基礎杭兼用土留用鋼材。
【請求項４】
複数を並べて地中に打設することにより擁壁を構成して背後の土層の崩落を阻止する共に基礎を構成する鋼材のうち、擁壁の屈曲部を構成するために打設されるものであって、請求項２に記載の突条と接続片とを備えた鋼板の一方の辺の外側にさらに、この土留用鋼材に隣接して直交方向に接続される他の前記土留用鋼材における前記突条に嵌合できる長手方向の条溝を備えた直交接続片を設けて成り、この直交接続片に請求項３に記載の土留用鋼材の突条を嵌合させて擁壁の屈曲部を構成できるようにしたことを特徴とする基礎杭兼用土留用鋼材。
【発明の詳細な説明】
【技術分野】
【０００１】
本発明は、複数を同一方向に並べて地中に打設することにより擁壁を構成して背後の土層の崩落を阻止すると共に、構築物の基礎杭を構成するための鋼材に関するものである。
【背景技術】
【０００２】
従来、本願出願人が提案した特許文献１に記載の基礎杭兼用土留用鋼材がある。この鋼材は、一対の長尺矩形鋼板間に鋼管を溶着して両鋼板を平行に接続し、鋼板の一方の対向辺の内側対向部に長手方向に突条を設けると共に、他方の対向辺の端部に、相隣接する他の基礎杭兼用土留用鋼材の突条に嵌合できる長手方向の条溝を備えた接続片を設け、相隣接する鋼材の突条と条溝とを互いに嵌合させて、複数を隙間なく並べて地中に打設可能としている。
【先行技術文献】
【特許文献】
【０００３】
【特許文献１】特開2001-073356号公報
【発明の概要】
【発明が解決しようとする課題】
【０００４】
上記従来の基礎杭兼用土留用鋼材においては、構造上鋼板と鋼管との間の溶着工具を差し入れる作業用スペースが狭いため、製作が容易でなく、溶着強度の低下を招きかねない。また、基礎鋼として支持力を向上するには、横断面積が大きくすることが必要である。
従って、本発明は、製作し易く、支持力が向上する基礎杭兼用の土留用鋼材を提供することを課題としている。
【課題を解決するための手段】
【０００５】
本発明においては、上記課題を解決するため、一対の長尺矩形鋼板２間に、外周の対向位置において鋼板２の長手方向中心線に沿って鋼板２の全長にわたる鋼管３を固定して両鋼板２を平行に接続し、相隣接するものを互いに係合させ、複数を隙間なく並べて地中に打設可能な基礎杭兼用土留用鋼材１において、鋼板２と鋼管３との間に、これらの全長にわたるスペーサ４を介設して溶着作業用のスペースを形成する。
スペーサ４は、鋼板２の長手方向の中心線に沿った鋼管３の外周の対向位置に溶着する。
鋼板２の一方の対向辺の内側対向部に長手方向に突条５を設けると共に、他方の対向辺の端部に、夫々相隣接する他の基礎杭兼用土留用鋼材１の突条５に嵌合できる長手方向の条溝７を備えた接続片６を設け、相隣接するものの突条５と条溝７とを互いに嵌合させて鋼材１，１同士を係合させる。
突条５と接続片６とを備えた鋼材における一方の鋼板２の外側にさらに、この鋼材に隣接して直交方向に接続される他の鋼材１における突条５に嵌合できる長手方向の条溝１０を備えた直交接続片９を設け、この直交接続片９に、直交方向に隣接する他の鋼材１の突条５を嵌合させて擁壁の屈曲部を構成できるようにした。
【発明の効果】
【０００６】
本発明においては、鋼板と鋼管との間のスペーサにより溶着工具の挿入用のスペースを確保できるため、溶着作業が行い易く、容易に製作でき、必要な溶着強度を確保できる。また、スペーサにより基礎鋼としての横断面積が拡大し、基礎として支持力を向上させることができるという効果を有する。
【図面の簡単な説明】
【０００７】
【図１】本発明に係る基礎杭兼用土留用鋼材の平面図である。
【図２】図１の基礎杭兼用土留用鋼材の正面図である。
【図３】図１の基礎杭兼用土留用鋼材の斜視図である。
【図４】擁壁の屈曲部に配置される基礎杭兼用土留用鋼材の平面図である。
【図５】２種の鋼材を接続して形成される擁壁の一部の平面図である。
【発明を実施するための形態】
【０００８】
図面を参照して本発明の実施の一形態を説明する。
図１ないし図３の基礎杭兼用土留用鋼材１は、図５に示すように、直線状に複数並べて地中に打設されるものである。この鋼材１は、２枚の長尺矩形鋼板２と、両鋼板２，２間に支持される鋼管３と、鋼板２に鋼管３を支持するスペーサ４とを備え、鋼板２に突条５と条溝７付き接続片６とを設けて成る。
【０００９】
鋼管３は対向する一対の鋼板２，２の長手方向へ内側中央に沿って配置し、スペーサ４の両端部を鋼板２及び鋼管３に溶着することにより鋼板２に固定する。スペーサ４は、鋼板２の中央に沿って長手方向へ全長にわたって連続する。
【００１０】
突条５は、鋼板２の片側の対向辺の内側対向部に、長手方向にほぼ全長にわたって連続するように設けられている。突条５は、市販の鋼板材に棒材を溶着して形成することができるし、一体に形成することができる。接続片６は、鋼板２の他側の対向辺の端部に、長手方向に相互に所定間隔をおいて設けられている。接続片６は、夫々相隣接する他の土留用鋼材１の突条５に嵌合できる長手方向の条溝７を備えている。接続片６も、市販の鋼板に溶着して形成することができるし、鋼板２と一体に形成することができる。
【００１１】
この基礎杭兼用土留用鋼材１は、鋼板２と鋼管３との間にスペーサ４を介設するので、鋼板２と鋼管３との間に溶着工具の挿入スペースが確保でき、溶着作業がし易く、容易に製作でき、鋼板２と鋼管３とを十分な強度で結合させる。鋼板２及び鋼管３の断面積にスペーサ４の断面積が加わることにより、基礎鋼としての横断面積が増加し、支持力が向上する。
【００１２】
しかして、基礎杭兼用土留用鋼材１の打設工事に当たっては、順次これをクレーンで吊りあげて所要位置に配置し、所要機器で振動又は打撃を与えて地中に打ち込んでいく。鋼材１の位置合わせは、突条５と条溝７とを互いに嵌合させることで行い、地中への打ち込み作業時に、突条５と条溝７との嵌合により打ち込み方向がガイドされ、捻じれや位置ずれが生じない。形成された擁壁は、一体化して極めて強固なものとなる。なお、必要に応じて、打設後の相隣接する鋼材１，１の接合辺間を溶接することにより、遮水壁とすることができる。この擁壁は、基礎杭と兼用することができ、従って、内側に別途基礎杭を打設することなく、構築物の空間を広く取ることができる。なお、突条５と条溝７との遊びを大きく取り、一方の鋼板の幅を他方より所定寸法長くすることにより、擁壁を一定の曲率で湾曲させて形成することもできる。
【００１３】
図４に示す鋼材１１は、図５に示すように、擁壁の屈折部を構成するために、先の土留用鋼材１に対して直交方向に接続するように地中に打設されるものである。この鋼材１１は、先の鋼材１における突条５と接続片６に加え、長手方向に所定の相互間隔をおいて設けられた直交接続片９を備えている。即ち、直交接続片９は、鋼板２の一方の辺の外側に一対設けられており、この鋼材１１に隣接して直交方向に接続される他の鋼材１における突条５に嵌合できる長手方向の条溝１０を備えている。この直交接続片９に他の土留用鋼材１の突条５を嵌合させて図５に示すように、擁壁の屈曲部を構成する。同じく、隣接鋼材１との位置合わせは、突条５と条溝１０とを互いに嵌合させることで容易に行うことができ、地中への打ち込み作業時には、突条５と条溝１０との嵌合により打ち込み方向がガイドされ、捻じれや位置ずれが生じない。なお、この場合も、接合辺を溶接して遮水性を付与することができる。
【符号の説明】
【００１４】
１    基礎杭兼用土留用鋼材
２    鋼板
３    鋼管
４    スペーサ
５    突条
６    接続片
７    条溝
９    直交接続片
１０    条溝
１１    基礎杭兼用土留用鋼材
【図１】
2012225057.tif 000003
【図２】
2012225057.tif 000004
【図３】
2012225057.tif 000005
【図４】
2012225057.tif 000006
【図５】
2012225057.tif 000007